(57)【要約】【課題】製造工程数を増加および複雑化することなく、表示品位の高い反射表示および透過表示が可能な液晶表示装置を提供する。【解決手段】アレイ基板１０１および対向基板１０２と、アレイ基板１０１および対向基板１０２間に挟持され、透過表示領域Ａ１および反射表示領域Ａ２を含む液晶層１９０と、反射表示領域Ａ２に対応してアレイ基板１０１上に配置され、液晶層１９０の厚さを反射表示領域Ａ２および透過表示領域Ａ１間で互いに異ならせる透明樹脂層３５とを備え、透明樹脂層３５は、透過表示領域Ａ１の一部に対応してアレイ基板１０１上に配置される透明部材３５Ａを含む液晶表示装置。【選択図】      図５
2007052268.tif 000002
【特許請求の範囲】
【請求項１】
第１および第２電極基板と、
前記第１および第２電極基板間に挟持され、透過表示領域および反射表示領域を含む液晶層と、
前記反射表示領域に対応して前記第１電極基板上に配置され、前記液晶層の厚さを前記反射表示領域および前記透過表示領域間で互いに異ならせる樹脂層とを備え、
前記樹脂層は、前記透過表示領域の一部に対応して前記第１電極基板上に配置される透明部材を含む液晶表示装置。
【請求項２】
前記透明部材は、前記第１電極基板上において前記反射表示領域から前記透過表示領域の一部に延出した単一の層である請求項１に記載の液晶表示装置。
【請求項３】
前記液晶層を複数の赤色画素、緑色画素、および青色画素に区分する複数の赤着色層、緑着色層、および青着色層を含むカラーフィルタをさらに備え、前記透過表示領域および反射表示領域が前記複数の赤色画素、緑色画素、および青色画素の各々に対して設けられる請求項１に記載の液晶装置。
【請求項４】
前記透明部材は前記青色画素、前記赤色画素および前記緑色画素の各々に対して設けられ、前記青画素において前記赤色画素および前記緑色画素よりも大きい面積を有する請求項３に記載の液晶表示装置。
【請求項５】
前記透明部材は前記青色画素、前記赤色画素および前記緑色画素の各々に対して設けられ、前記青色画素、前記緑色画素、前記赤色画素の順に大きい面積を有する請求項３に記載の液晶表示装置。
【請求項６】
前記透明部材は前記青色画素のみに対して設けられる請求項３に記載の液晶表示装置。
【請求項７】
前記第２電極基板は、前記反射領域に対応して配置される反射電極と前記反射電極の下に配置された絶縁層とをさらに有し、前記透明部材は前記絶縁層と等しい材料から成る請求項１記載の液晶表示装置。
【請求項８】
前記液晶層は負の誘電率異方性を有する請求項１に記載の液晶表示装置。
【請求項９】
前記液晶層内の液晶分子は前記第１および第２電極基板上に形成される一対の配向膜により略垂直に配向される請求項１に記載の液晶表示装置。
【発明の詳細な説明】
【技術分野】
【０００１】
本発明は、液晶表示装置に関し、特に半透過型の液晶表示装置に関する。
【背景技術】
【０００２】
液晶表示パネルを用いた表示装置は、ＣＲＴ（ブラウン管）やＥＬ（エレクトロルミネッセンス）とは異なり自らは発光しないため、バックライトを液晶表示パネルの背面に設置して照明する透過型液晶表示装置が用いられている。しかしながら、一般的にバックライトは液晶表示装置の全消費電力のうち５０％以上を消費するため、屋外や常時携帯して使用する機会が多い携帯情報機器ではバックライトの代わりに反射板を設置し、周囲光のみで表示をおこなう反射型液晶表示装置も実現されている。
【０００３】
反射型液晶表示装置は、周囲の光が暗い場合に表示に用いる反射光が低下し、視認性が極端に低下するという問題があった。一方、透過型液晶表示装置は周囲光が非常に明るい晴天下等での視認性が低下するという問題があった。この問題を解決するために、一つの画素の中に反射表示領域と透過表示領域とが配置された半透過型の液晶表示装置が提案されている。
【０００４】
半透過型の液晶表示装置では、反射表示領域における液晶層の厚さが透過表示領域における液晶層の厚さの約半分になるようにして反射表示及び透過表示を実現している（特許文献１参照）。
【０００５】
液晶表示装置に用いられる液晶表示方式は、一般的に、液晶の配向変化を表示に利用する方式が用いられ、例えば反射型液晶表示装置で用いられているＴＮ（ツイステッドネマティック）モード、ＳＴＮ（スーパーツイステッドネマティック）モードといった偏光板を利用するタイプの他、偏光板を用いないために明るい表示が実現できる相転移型ゲストホストモードも近年盛んに開発が行われている（特許文献２及び特許文献３参照）。
【０００６】
しかしながら、相転移型ゲストホストモードは、液晶分子と色素を分散させた液晶層において色素の光吸収を用いて表示を行うためコントラストが十分とれず、ＴＮモード、ＳＴＮモードといった偏光板を利用するタイプに比べて表示品位は著しく悪くなる。
【０００７】
また、水平配向もしくはツイスト配向の液晶表示方式の場合には、液晶層の中心付近の液晶分子は電圧印加時に基板面に対して垂直方向に傾くが、配向膜表面付近の液晶分子は電圧を印加しても基板に対して垂直にならないため液晶層の複屈折率は０には程遠く、電圧印加時に黒表示をおこなう表示モードの場合、液晶層の複屈折のため十分な黒が表示できず、十分なコントラストを得ることができなかった。ＴＮモードおよびＳＴＮモードの液晶表示装置も現在では輝度やコントラストの点で十分な表示品位を有するとは言い難く、更なる高輝度化およびコントラスト向上等の表示品位の向上が求められている。
【０００８】
一方、マルチドメイン型ＶＡＮ（ＭＶＡ）モードは、垂直配向処理の採用により配向膜表面付近の液晶分子は基板に対して垂直で液晶層の複屈折率はほぼ０となるため十分な黒が表示でき高いコントラストを得ることができる。また、視野角の補償設計が比較的容易で広い視野角を実現可能なことと従来静電気破壊など不良原因の発生が危惧されていたラビング配向処理工程を削除可能なことから、近年注目されている液晶表示モードである。
【０００９】
しかしながら、従来の液晶ディスプレイでは、液晶層の厚さは赤色、緑色、青色の画素で概略等しくなっている。この場合、各波長に対する実効的な液晶層の位相差が異なる為、各色でγ特性が異なる。このことから、印加する電圧によって各色の透過率のバランスが変わり、印加電圧を上げるにつれて表示色が目的の色からずれるという問題があった。
【００１０】
特に、斜め方向から観察した場合はこの現象がより顕著に見られる。この問題を解決する手段として、各色毎に液晶層厚を変え、印加する電圧により各色の透過率のバランスが崩れないようにしたマルチギャップ方式が提案されている（特許文献４参照）。
【特許文献１】特開２００３−１１４４１９号公報
【特許文献２】特開平４−７５０２２号公報
【特許文献３】特願平７−２２８３６５号公報
【特許文献４】特開平７−１２０７４６号公報
【発明の開示】
【発明が解決しようとする課題】
【００１１】
しかし、各色毎に液晶層の厚さを変える為には、カラーフィルタの厚さや、絶縁層の厚さを各色で変えなければならず、形成プロセスが増えたり、複雑化したりする等の問題が発生する。
【００１２】
本発明は、上記の問題点に鑑みて成されたものであって、製造工程数を増加および複雑化することなく、表示品位の高い反射表示および透過表示が可能な液晶表示装置を提供することを目的とする。
【課題を解決するための手段】
【００１３】
本発明の態様による液晶表示装置は、第１および第２電極基板と、前記第１および第２電極基板間に挟持され、透過表示領域および反射表示領域を含む液晶層と、前記反射表示領域に対応して前記第１電極基板上に配置され、前記液晶層の厚さを前記反射表示領域および前記透過表示領域間で互いに異ならせる樹脂層とを備え、前記樹脂層は、前記透過表示領域の一部に対応して前記第１電極基板上に配置される透明部材を含む。
【発明の効果】
【００１４】
本発明によれば、製造工程数を増加および複雑化することなく、表示品位の高い反射表示および透過表示が可能な液晶表示装置を提供することができる。
【発明を実施するための最良の形態】
【００１５】
以下、本発明に係る液晶表示装置について図面を参照して説明する。本発明の第１実施形態に係る液晶表示装置は液晶表示パネル１００を有している。液晶表示パネル１００は、例えば、アクティブマトリクス型液晶表示パネルである。
【００１６】
図１及び図２に示すように、液晶表示パネル１００は、アレイ基板１０１と、このアレイ基板１０１に対向配置された対向基板１０２と、負の誘電異方性を有する液晶組成物を含みアレイ基板１０１と対向基板１０２との間に挟持された液晶層１９０とを備えている。
【００１７】
液晶表示パネル１００は、アレイ基板１０１と対向基板１０２とを貼り合わせる外縁シール部材１０６によって囲まれた領域内に画像を表示する表示領域１０３が配置されている。表示領域１０３はマトリクス状に配置された複数の表示画素ＰＸによって構成されている。表示領域１０３の外周に沿って配置された周辺領域１０４は、外縁シール部材１０６の外側の領域に形成され、額縁状に形成された遮光領域１４１を有している。
【００１８】
アレイ基板１０１は、表示領域１０３において表示画素ＰＸ毎に配置されたｍ×ｎ個の画素電極１５１、これら画素電極１５１の行方向に沿って形成されたｍ本の走査線Ｙ（Ｙ１〜Ｙｍ）、これら画素電極１５１の列方向に沿って形成されたｎ本の信号線Ｘ（Ｘ１〜Ｘｎ）、及び、各画素電極１５１に対応して走査線Ｙ及び信号線Ｘの交差位置近傍にスイッチング素子として配置されたｍ×ｎ個の薄膜トランジスタ（以下、画素ＴＦＴ）１２１を有している。また、周辺領域１０４において、アレイ基板１０１は、走査線Ｙを駆動する走査線駆動回路１１８、信号線Ｘを駆動する信号線駆動回路１１９等を有している。
【００１９】
図３に示すように、画素電極１５１にはそれぞれスリット部１５が設けられている。また、対向基板１０２には畝状突起部１８が配置されている。この液晶表示パネル１００において、畝状突起部１８およびスリット部１５は、液晶層１９０内に電気力線の方向が互いに異なる複数の領域を形成することによって、液晶層１９０の画素電極１５１に対応する部分に液晶分子１９０Ａの配向方向が互いに異なる複数のドメインを形成している。
【００２０】
図３に示す液晶表示パネル１００では、各画素電極１５１上の領域が、液晶分子１９０Ａの配向方向が互いに異なる複数のドメイン２２ａ〜２２ｄで構成される。このことにより視野角が補償される為、広い視角特性が得られる。
【００２１】
図４に示すように、液晶表示パネル１００のアレイ基板１０１は、表示領域１０３において、ガラス基板などの透明絶縁性基板１１１上に、複数の表示画素ＰＸにそれぞれ対応して形成されたスイッチング素子すなわち画素ＴＦＴ１２１、画素ＴＦＴ１２１を含む表示領域１０３を覆って形成される絶縁層１２３、絶縁層１２３上に表示画素ＰＸ毎に配置された画素電極１５１、絶縁層１２３上に形成された複数の柱状スペーサ１３１、及び、複数の画素電極１５１全体を覆うように形成された配向膜１１３Ａを備えている。
【００２２】
また、アレイ基板１０１は、周辺領域１０４において、表示領域１０３の外周を取り囲む透明基板の遮光領域１４１に配置された遮光層ＳＰを備えている。
【００２３】
画素電極１５１は、絶縁層１２３上にＩＴＯ等の透過性導電部材によって形成され、これら絶縁層１２３を貫通するスルーホール１２６を介して画素ＴＦＴ１２１にそれぞれ接続されている。各画素ＴＦＴ１２１は、画素電極１５１の行に沿って形成される走査線Ｙ、および画素電極１５１の列に沿って形成される信号線Ｘに接続され、走査線Ｙからの駆動電圧により導通し、信号電圧を画素電極１５１に印加する。
【００２４】
また、液晶表示パネル１００は、アレイ基板１０１と対向基板１０２との間に所定のギャップを形成するための柱状スペーサ１３１を備えている。
【００２５】
対向基板１０２は、ガラス基板などの透明絶縁性基板１１１上に形成されたカラーフィルタ１２４（１２４Ｒ、１２４Ｇ、１２４Ｂ）、対向電極１５３、及び、この対向電極１５３を覆う配向膜１１３Ｂを有している。
【００２６】
カラーフィルタ１２４は、液晶層１９０を複数の赤色画素ＰＸＲ、緑色画素ＰＸＧ、および青色画素ＰＸＢに区分する複数の赤着色層１２４Ｒ、緑着色層１２４Ｇ、および青着色層１２４Ｂを含む。透過表示領域Ａ１および反射表示領域Ａ２は、複数の赤色画素ＰＸＲ、緑色画素ＰＸＧ、および青色画素ＰＸＢの各々に対して設けられている。
【００２７】
対向電極１５３は、アレイ基板１０１側の複数の画素電極１５１全体に対向するように配置されるＩＴＯ等の光透過性導電部材によって形成されている。配向膜１１３Ａ及び配向膜１１３Ｂは、液晶層１９０に含まれる液晶分子１９０Ａをアレイ基板１０１及び対向基板１０２に対して略垂直な方向に配向する。
【００２８】
上記の液晶表示パネル１００は、図５及び図６に示すように、透過表示をする透過表示領域Ａ１と反射表示をする反射表示領域Ａ２とを有している。アレイ基板１０１上に配置された絶縁層１２３は、反射表示領域Ａ２においてその表面が凹凸形状となっている。絶縁層１２３上には、反射表示領域Ａ２の凹凸形状に沿って反射電極４０が配置されている。反射電極４０は、アルミニウム等の光反射性を有する金属によって形成され、対向基板１０２側から反射表示領域Ａ２に入射した光を対向基板１０２側に反射させる。
【００２９】
すなわち、透過表示領域Ａ１では例えば液晶表示パネル１００の背面側（アレイ基板１０１側）に配置されたバックライト（図示せず）によって照明され、アレイ基板１０１及び対向基板１０２を透過する光によって画像を表示させる。反射表示領域Ａ２では、液晶表示パネル１００の表面側（対向基板１０２側）から入射した光を反射電極４０によって再び表面側に反射させて画像を表示させる。
【００３０】
対向基板１０２は、対向電極１５３の下に透過表示領域Ａ１の液晶層１９０と反射表示領域Ａ２の液晶層１９０との厚さを変更するための透明樹脂層３５を有している。透明樹脂層３５は、反射表示領域Ａ２に配置されるとともに、透過表示領域Ａ１の一部である位相補正領域Ａ３に延びた透明部材３５Ａを有している。すなわち、前記透明部材は、対向基板１０２において反射表示領域Ａ２から透過表示領域Ａ１の一部に延出した単一の層である。
【００３１】
上記のように、反射表示領域Ａ２の対向電極１５３上に透明樹脂層３５を配置することによって、反射表示領域Ａ２における液晶層厚Ｇ２と、透過表示領域Ａ１における液晶層厚Ｇ１とに差が生じる。このとき、透明樹脂層３５は、反射表示領域Ａ２の液晶層厚Ｇ２が透過表示領域Ａ１の液晶層厚Ｇ１の約半分となるように配置されることが望ましい。
【００３２】
また、透明部材３５Ａが位相補正領域Ａ３に配置されることによって、位相補正領域Ａ３の液晶層厚は、反射表示領域Ａ２の液晶層厚Ｇ２と等しくなる。このとき、位相補正領域Ａ３の面積は、透過表示領域Ａ１全体の面積に対する割合が、赤色画素ＰＸＲ、緑色画素ＰＸＧ、青色画素ＰＸＢ各色で異なるように配置されている。本実施形態では、透過表示領域Ａ１に対する位相補正領域Ａ３の面積の割合は、図７に示すように、赤色画素ＰＸＲでは０％、緑色画素ＰＸＧでは１７％、青色画素ＰＸＢでは２５％となるように透明部材３５Ａを配置した。
【００３３】
なお、透明樹脂層３５は、例えばＳｉＯ2、ＳｉＮx、Ａｌ2Ｏ3などの無機系薄膜、ポリイミド、フォトレジスト樹脂、高分子液晶など有機系薄膜などを用いることができる。絶縁膜が無機系薄膜の場合には、蒸着法、スパッタ法、ＣＶＤ（Chemical Vapor Deposition）法、あるいは溶液塗布法などによって形成できる。また、絶縁膜が有機系薄膜の場合には、有機物質を溶かした溶液またはその前駆体溶液を用いて、スピンナー塗布法、スクリーン印刷塗布法、ロール塗布法などで塗布し、所定の硬化条件（加熱、光照射など）で硬化させ形成する方法、あるいは蒸着法、スパッタ法、ＣＶＤ法、ＬＢ（Langumuir-Blodgett）法などで形成することもできる。
【００３４】
また、本実施形態では、透明樹脂層３５の厚さは1.8μm、対向電極１５３の上に畝状突起部１８を高さ1.2μm、柱状スペーサ１３１を高さ3.8μmとした。アレイ基板１０１と対向する対向基板１０２上には、垂直性を示す配向膜１１３Ｂを70nm厚さで塗布し、液晶表示パネル１００を構成した。誘電率異方性が負の液晶材料をアレイ基板１０１と対向基板１０２との間に充填し、反射表示ならびに透過表示が可能にした。
【００３５】
本実施形態の液晶表示パネル１００について、透過表示領域Ａ１の赤色画素ＰＸＲ、緑色画素ＰＸＧ、および青色画素ＰＸＢのＶ−Ｔ特性を測定し、その結果を図７に示す。また白表示をしたときの透過率および上下左右５０°方向視野角の正面との色差(Δu’v’)を評価した。その結果を図８に示す。
【００３６】
次に本発明の第２実施形態に係る液晶表示装置について説明する。図４及び図５に示す液晶表示パネル１００の柱状スペーサ１３１の高さを3.5μmとし、透明樹脂層３５が位相補正領域Ａ３の面積の割合を図１０に示すようにした。すなわち、図９に示すように、透過表示領域Ａ１に対する位相補正領域Ａ３の面積割合を、赤色画素ＰＸＲ及び緑色画素ＰＸＧでは０％とし、青色画素ＰＸＢでは１７％とした。
【００３７】
上記以外の点は第１実施形態と同様であるため同一の符号を付して説明を省略する。本実施形態の液晶表示パネルについて、透過表示領域の赤色画素ＰＸＲ、緑色画素ＰＸＧ、および青色画素ＰＸＢのＶ−Ｔ特性を測定し、その結果を図１０に示す。また白表示をしたときの透過率および上下左右５０°方向視野角の正面との色差(Δu’v’)を評価した。その結果を図８に示す。
【００３８】
上記の第１及び第２実施形態に対する比較例として、図１１に示すように、透明樹脂層３５が透過表示領域Ａ１にかからないようにする液晶表示パネル１００を用いた。すなわち、透過表示領域Ａ１に対する位相補正領域Ａ３の面積割合を、赤色画素ＰＸＲ、緑色画素ＰＸＧ、及び青色画素ＰＸＢで０％とした液晶表示パネル１００を比較例として用いた。
【００３９】
なお、比較例の液晶表示パネル１００は、上記以外の点は第２実施形態と同様の構成である。上記の比較例について、透過表示領域Ａ１の赤色画素ＰＸＲ、緑色画素ＰＸＧ、および青色画素ＰＸＢの電圧−透過率特性を測定した。その結果を図１２に示す。また白表示をしたときの透過率および上下左右５０°方向視野角の正面との色差を評価した。その結果を図８に示す。
【００４０】
図８に示すように、第１実施形態、第２実施形態、および比較例より得られた透過表示領域Ａ１の特性の測定結果および主観評価結果からも、第１及び第２実施形態に係る液晶表示パネル１００は比較例に比べて白表示の輝度が高く、正面との色差も小さい、すなわち、色ずれが小さい。
【００４１】
上記の結果から、第１及び第２実施形態に係る液晶表示パネル１００は、透過表示領域Ａ１に形成する透明樹脂層３５の面積を各色の表示画素ＰＸごとに変えることにより、各色の位相に対応してアレイ基板１０１と対向基板１０２とのギャップを変えた時と同じ効果が得られ、Ｖ−Ｔ曲線の形状（γ特性）が変化する。ずなわち、透明樹脂層３５の面積の割合を大きくするとアレイ基板１０１と対向基板１０２とのギャップを小さくしたときと同様にＶ−Ｔ曲線の形状は高電圧側に傾き、逆に透明樹脂層３５の面積を小さくするとセルギャップを大きくしたときと同様に低電圧側に傾きを変えることが出来る。
【００４２】
各色の表示画素ＰＸでセル厚が同じ場合には、γ特性も異なる為、印加する電圧によりＲ，Ｇ，Ｂの光の強度比が変わり、色ずれが生じてしまう。しかし、上記のように、各色の表示画素ＰＸで、透明樹脂層３５が配置される位相補正領域Ａ３の面積を変え、γ特性をＲ，Ｇ，Ｂであわせることで、正面、及び斜め方向の色ずれを小さくすることが出来る。このことから、表示品位の高い透過表示ならびに反射表示可能な液晶表示パネル１００を提供できる。
【００４３】
また、上記の第１及び第２実施形態では、透過表示領域Ａ１と反射表示領域Ａ２との液晶層１９０の厚さを異ならせるために対向基板１０２に配置された透明樹脂層３５を用いて、赤色画素ＰＸＲ、緑色画素ＰＸＧ、および青色画素ＰＸＢの画素毎に液晶層１９０の厚さを変えたときと同じ効果が得られる。このことから、本発明によれば製造工程数を増加および複雑化することなく、表示品位の高い反射表示および透過表示が可能な液晶表示装置を提供することが出来る。
【００４４】
なお、この発明は、上記実施形態そのままに限定されるものではなく、実施段階ではその要旨を逸脱しない範囲で構成要素を変形して具体化できる。
【００４５】
例えば、上記の第１及び第２実施形態では、対向基板１０２上に透明樹脂層３５を配置し、透過表示領域Ａ１における液晶層１９０の厚さと、反射表示領域Ａ２における液晶層１９０の厚さとを異ならせていたが、反射表示領域Ａ２においてアレイ基板１０１上に配置された絶縁層１２３を厚くして、透過表示領域Ａ１と反射表示領域Ａ２との液晶層１９０の厚さを異ならせても良い。
【００４６】
その場合には、絶縁層１２３の厚くする部分を透過表示領域Ａ１の一部に配置することによって、上記の実施形態と同様の効果を得ることができる。
【００４７】
また、上記の第１および第２実施形態では、位相補正領域Ａ３に配置される透明樹脂層３５は、反射表示領域Ａ２に配置される透明樹脂層３５と一体となっていたが、これらは別体であっても良い。別体であっても、同一の材料によって形成されることによって、製造工程を増やすことなく液晶表示パネル１００を形成することができ、上記の第１及び第２実施形態と同様の効果を得ることができる。
【００４８】
また、上記の実施形態では、ＭＶＡ方式の表示モードを採用した液晶表示パネル１００について説明したが、表示方式はいずれのモードを用いても良い。しかし、誘電率異方性が負の液晶材料を用いたＭＶＡモードにすることが望ましく、透過表示部で５００：１以上、反射表示部でも１００：１以上の高いコントラスト比を有する液晶表示装置を作製することが出来る。
【００４９】
また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００５０】
【図１】本発明の一実施形態に係る液晶表示装置の一例を概略的に示す斜視図。
【図２】図１に示す液晶表示装置の一構成例を説明する平面図。
【図３】図１に示す液晶表示装置の表示画素の傾き補正部の一配置例を示す図。
【図４】図１に示す液晶表示装置の一構成例を説明する断面図。
【図５】図５に示す画素をＡ−Ａ´で切断した断面の一例を示す図。
【図６】本発明の第１実施形態に係る液晶表示装置の画素の一構成例を説明する図。
【図７】図６に示す液晶表示装置の透過率の評価を行った結果を示す図。
【図８】本発明の第１実施形態、第２実施形態、および比較例に係る液晶表示装置の評価結果を説明する図。
【図９】本発明の第２実施形態に係る液晶表示装置の画素の一構成例を説明する図。
【図１０】図９に示す液晶表示装置の透過率の評価を行った結果を示す図。
【図１１】本発明の第３実施形態に係る液晶表示装置の画素の一構成例を説明する図。
【図１２】図１１に示す液晶表示装置の透過率の評価を行った結果を示す図。
【符号の説明】
【００５１】
１００…液晶表示パネル、１０１…アレイ基板、１０２…対向基板、１０３…表示領域、１５１…画素電極、１９０…液晶層、１９０Ａ…液晶分子、Ｘ（Ｘ１〜Ｘｎ）…信号線、Ｙ（Ｙ１〜Ｙｍ）…走査線、１２１…画素ＴＦＴ、１２３…絶縁層、１２４…カラーフィルタ、１５…電極スリット、１８…畝状構造体、３５…透明樹脂層、３５Ａ…透明部材、４０…反射電極、Ａ１…透過表示領域、Ａ２…反射表示領域、Ａ３…位相補正領域、ＰＸＲ…赤色画素、ＰＸＧ…緑色画素、ＰＸＢ…青色画素、Ｇ１、Ｇ２…ギャップ
【図１】
2007052268.tif 000003
【図２】
2007052268.tif 000004
【図３】
2007052268.tif 000005
【図４】
2007052268.tif 000006
【図５】
2007052268.tif 000007
【図６】
2007052268.tif 000008
【図７】
2007052268.tif 000009
【図８】
2007052268.tif 000010
【図９】
2007052268.tif 000011
【図１０】
2007052268.tif 000012
【図１１】
2007052268.tif 000013
【図１２】
2007052268.tif 000014